(57)【要約】  【課題】    内法は、計算が容易な数字を加算するだけで計測でき、測定テープの目盛りも見易い巻尺を提供する。  【解決手段】    巻尺ケース１の正面２に回転軸９と一体となる内法測定具１０を設け、巻尺ケース１の背面３には指を通す孔７と突起部８を設けてある。突起部８は、内法測定具１０に設けてある内法目盛り１１からは特定の長さに設定されている。内法を計測する時は壁面にフック６を当て、もう一方の壁面には突起部８を当て、内法目盛り１１と一致する測定テープ５の目盛りに、特定の長さを加算すれば内法が測れる。二種類併記の測定テープ５なら内法目盛り１１を二本設定すれば、どちらでも計測が可能である。また、視力の弱い人でも正確に目盛りの判別ができるように、測定テープ５の目盛りは一定の間隔で横線１２を用いて繋ぎ、内法測定具１０は拡大鏡を使用している。  【選択図】図１
2006275675.tif 000002
【特許請求の範囲】
【請求項１】
巻尺ケース１の正面２には回転軸９と一体となる内法測定具１０を設け、巻尺ケース１の背面３には指を通す孔７と突起部８を設けた巻尺に於いて、内法測定具１０は前に倒したとき測定テープ５と平行になり、巻尺ケース背面３の突起部８は、内法測定具１０に設けてある内法目盛り１１から特定の長さに設定されていることを特徴とする内法も計測できる見易い目盛りの巻尺。
【請求項２】
測定テープ５の目盛りは、縦線だけでなく一定の間隔で横線を用いて繋がれた目盛り１２を設けて構成されていることを特徴とする請求項１に記載の内法も計測できる見易い目盛りの巻尺。
【発明の詳細な説明】
【技術分野】
【０００１】
この発明は、内法を計測する時に使用する巻尺に関する。
【背景技術】
【０００２】
従来、巻尺で壁面と壁面の内法を計測するときは、一方の壁面にはフックを当て、もう一方の壁面は測定テープを湾曲にしなければならず、正確な数字を目盛りで計測できないので勘に頼っていた。
【０００３】
上記より正確に計測するには、一方の壁面から任意に計測した場所に鉛筆などで印を付け、その印から残りの壁面までの長さを計測して内法を出す方法がある。この場合、二度計測する事になり、印の消去も必要である。
【０００４】
計測した寸法に、巻尺ケースの長さを加算して内法を計測する発明や、測定テープに通常の目盛りの他に、巻尺ケースの長さを加算した数字を測定テープに書き込み、目盛りを二通りにしてある発明もある。これらは測定テープ出入り口の寸法を見るので見る角度により誤差が生じ易く、巻尺ケースの背面を壁面に当てるとき保持する指が邪魔になり計測し難い。
【０００５】
巻尺ケースの背面に突起を設け、測定テープ出入り口までの長さを１００ミリに設定して、その寸法を測定テープに書き込みをした考案がある。この場合、背面の突起が固定されていないので誤差や破損の可能性がある。尺目盛りの併記などでは目盛りが複雑になるうえ、一種類の内法しか計測できない。
【０００６】
従来、測定テープの目盛りは縦線だけで表示され、５の倍数の目盛りを長くして他の目盛りと区別するだけであるが、視力の弱い人はその間にある短く細かい目盛りの判別が難しいので眼鏡等が必要である。
【特許文献１】特開平１０−６２１０２
【特許文献２】特開平１０−２８１７０３
【特許文献３】実登３０７７６８３
【発明の開示】
【発明が解決しようとする課題】
【０００７】
この発明は、上記の問題点を解消し、測定テープの引き出し長さに計算が容易な数字を加算するだけで内法が計測でき、二種類併記の目盛りにも対応できる。ストラップがなくとも巻尺ケースの保持が確実にでき、計測するときは指が邪魔にならずに保持できる巻尺を提供する。
【０００８】
視力が弱い人は、測定テープの細かい目盛りを見るとき眼鏡等が必要であるが、眼鏡等がなくても目盛りの判別が容易にできる巻尺を提供する。
【課題を解決するための手段】
【０００９】
この発明は上記課題を解決するため、巻尺ケースの背面に指を通す孔と突起部を設け、巻尺ケース正面には回転軸と一体となる内法測定具を設けてある。内法測定具は内法目盛りを備え、携帯する時は操作ボタンの下に収納されており、前方に倒すと測定テープと平行になる。巻尺ケース背面の突起部は、内法目盛りから特定の長さに設定されており、本件の場合は１００ｍｍに設定されている。内法を計測するときは、フックを当てて計測した内法目盛りまでの長さに、突起部までの長さ１００ｍｍを加算すれば、内法を計測できる事を特徴とする巻尺である。
【００１０】
今まで、巻尺の目盛りは縦線だけで表示されていたので、細かい目盛りの判別は難しかった。この巻尺では、従来のように５の倍数の目盛りを長く表示するだけでなく、その間にある短い目盛りを一定の間隔で横線を用いて繋いでいるので、目盛りの判別が容易にできる。また、内法測定具は拡大鏡を使用しているので、視力の弱い人でも目盛りの判別が容易な巻尺である事を特徴とするものである。
【発明の効果】
【００１１】
この発明の巻尺は以上のように構成されているので、壁面と壁面の内法を計測するとき勘に頼っていた数値も、この巻尺では計算が容易な数字を加算するだけで内法を計測できる。落下で破損する事が多い巻尺ケースも、指を通せる孔が開けてあるので確実に保持ができる。
【００１２】
視力の弱い人にとって見難かった測定テープの目盛りも、縦線だけでなく一定の間隔で横線を用いて繋いでいるので、目盛りの判別が容易である。また、巻尺ケースには拡大鏡も備えているので、細かい目盛りの判別が容易な巻尺である。
【実施例】
【００１３】
以下この発明の実施例を、図面を用いて説明する。図１は、この発明の内法も計測できる見易い目盛りの巻尺の側面図である。巻尺ケース１の正面２には回転軸９と一体となる内法測定具１０が設けられており、その内法測定具１０を前方に倒した図である。内法測定具１０は図２のように、携帯時は操作ボタン４の下に収納されている。また、巻尺ケース１の背面３には指を通す孔７と突起部８が設けられている巻尺である。
【００１４】
図１のように巻尺ケース１の正面２にある内法測定具１０は、前方に倒すと測定テープ５と平行になり、図６にあるように内法目盛り１１を備えている。メートル目盛りと尺目盛りの二種類の目盛りを備えた測定テープ５なら、内法目盛り１１を二本にして色分けすれば二種類の目盛りにも対応できる。
【００１５】
巻尺ケース背面３の突起部８は、内法測定具１０にある内法目盛り１１から特定の長さに設定されている。本件の場合は１００ｍｍの長さに設定されている。突起部８は巻尺ケースと一体なので破損や脱落の心配がなく、内法目盛り１１との長さの誤差が生じ難い。
【００１６】
巻尺ケース背面３の指を通す孔７は、四角形の巻尺ケース１に丸く収納されている測定テープ５との隙間を利用しており、この孔７に指を通せば従来のように巻尺を全部の指で把持せずとも、手が滑ることなく保持する事ができる。計測するときも、突起部８を確実に壁面に当てる事ができ、孔に通した指の感触でも当っている事が確認できる。巻尺ケース背面３の直線部分に指を置けば、測定の時も邪魔にならない。
【００１７】
図３はこの発明の巻尺の内法測定具１０を使って、内法を計測している図である。壁面Ａから壁面Ｂまでの長さを計測するとき、測定テープ５のフック６を壁面Ａに当て、巻尺ケース背面３にある指を通す孔７に挿しこんだ指で支えて、壁面Ｂに突起部８を当てる。操作ボタン４でストップにして、内法測定具１０を前方に倒して内法目盛り１１と一致する測定テープ５の目盛りを読む。
【００１８】
図３では内法目盛り１１が５４ｍｍに一致している。この５４ｍｍに突起部８からの長さ１００ｍｍを加算すると１５４ｍｍになるので、壁面Ａから壁面Ｂまでの内法は１５４ｍｍである。図６のように本件の事例では一本の目盛りであるが、二種類の目盛りなら内法目盛り１１を二本にして、目盛りと内法目盛り１１を二色に色分けすればよい。
【００１９】
図３のように測定テープ５の目盛りは縦線だけでなく、一定の間隔で隣の目盛りと横線１２で繋いでいる。今までの目盛りは５ｍｍの倍数の縦線を長く表示しているだけであったが、視力の弱い人などは短くて細かい目盛りの判別が難しかった。縦線の目盛りに一定の間隔で横線１２を用いて繋ぐことにより、隣の目盛りとの判別が容易になる。横線１２は太線、細線、色分けなど目盛りとのバランスで使い分ければ、より判別が容易である。
【００２０】
図３のように内法測定具１０を使用したときは、測定テープの目盛りが大きく見えるように拡大鏡を使用している。視力の弱い人が、内法を計測しない時でも目盛りが見難いとき使用すれば、眼鏡に頼らなくても判別が容易である。
【図面の簡単な説明】
【００２１】
【図１】本発明の側面図である。
【図２】本発明の側面斜視図である。
【図３】本発明の使用状態を示す平面図である。
【図４】本発明の正面図である。
【図５】本発明の背面図である。
【図６】本発明の内法測定具の平面図である。
【符号の説明】
【００２２】
１．巻尺ケース
２．巻尺ケース正面 
３．巻尺ケース背面 
４．操作ボタン
５．測定テープ
６．フック
７．指を通す孔
８．突起部
９．回転軸
１０．内法測定具
１１．内法目盛り
１２．横線で繋いだ目盛り
【図１】
2006275675.tif 000003
【図２】
2006275675.tif 000004
【図３】
2006275675.tif 000005
【図４】
2006275675.tif 000006
【図５】
2006275675.tif 000007
【図６】
2006275675.tif 000008